(57)【要約】      （修正有）【課題】建屋の間仕切り変更において、経年変化に伴い生じた天井面と床面との夫々の寸法バラツキへの対応をゴムに頼ることなく、可及的広範囲に対応できる間仕切装置を提供する。【解決手段】天井面Ｃ及び床面Ｆに夫々固定された上側下地材２及び下側下地材３と、該上側下地材及び下側下地材に夫々対峙すると共に、その回転に伴って上下進退して圧接するアジャスター用ネジ杆５と、該アジャスター用ネジ杆を有する上下枠材７，８及び左右枠材にて構成された四角型下地枠体６と、更に該四角型下地枠体の左右面に対面して相互に連結されると共に張り合わせされる間仕切用面材１とで成したことを特徴とする。【選択図】図２
0003171917.tif 000002
【実用新案登録請求の範囲】
【請求項１】
天井面及び床面に夫々固定された上側下地材及び下側下地材と、該上側下地材及び下側下地材とに夫々対峙すると共に、その回転に伴って上下進退して圧接するアジャスター用ネジ杆と、該アジャスター用ネジ杆を有する上下枠材及び左右枠材にて構成された四角型下地枠体と、更に該四角型下地枠体の左右面に対面して連結張り合わせされる間仕切用面材とで成したことを特徴とする間仕切装置。
【請求項２】
前記上側下地材及び下側下地材と四角型下地枠体の上下枠材との間には、勾配面を有する上下間座材を介在させて、該上下間座材が勾配に沿って互いに左右方向にスライドして、上側下地材及び下側下地材と四角型下地枠体の上下枠材との間隙を調整する様にしたことを特徴とする請求項１記載の間仕切装置。
【請求項３】
前記左右の間仕切用面材には、内面に複数の係止用受金具を取付け、四角型下地枠体の左右枠材には、前記夫々の係止用受金具に対応する係止用差込金具を取付けて前記左右の間仕切用面材を四角型下地枠体に張り合せた際、夫々の係止用差込金具と係止用受金具とが係合連結することを特徴とする請求項１記載の間仕切装置。
【請求項４】
前記一方間仕切用面材の係止用受金具と他方間仕切用面材の係止用差込金具とを一組として、左右の間仕切用面材の上下に複数装備させたことを特徴とする請求項１〜３の何れか１記載の間仕切装置。
【考案の詳細な説明】
【技術分野】
【０００１】  本考案は住宅、医院、更にはショッピング街店舗等の建屋内を適宜区分けする間仕切装置に関する。
【背景技術】
【０００２】  一般的に建屋のプランニング、例えば住宅について考察すると、新築時に設定した間取りは、その後の住人の成長、更には年齢に伴う対応、所謂リフォームが余儀される。
これは、住宅に限らず、歯科医院等の小規模医院、養護施設等の機能変化への対応、又ショッピング街の店舗の改装等についても同様のことが言える。
これらへの対応として、下記特許文献１が存在する。
この特許文献１によると、既設建屋の天井面及び床面、更には壁面のじゅうたん等の上面に廻り縁型枠、巾木型枠を釘止めし、それらの底部をコ字型枠内に敷いたゴム片に挿入弾圧させて保持している。
即ち、既設建屋の経年変化によって生じた天井面と床面との夫々の寸法バラツキを単に薄いゴム片の弾性許容範囲内に頼っており、その対応には限界が有るのは勿論、ゴム片の経年変化も問題となる。
勿論、天井面及び床面の経年変化に伴う寸法バラツキは、両面或いは、何れかの一面に生じる場合があり、多種多様となる。
特許文献２についても、リフォームへの対応は否定しないが、建屋の経年変化への対応にも限界がある。
【特許文献１】  特開２００１−２４１１９３号
【特許文献２】  特開２００１−０９８６８２号
【考案の概要】
【考案が解決しようとする課題】
【０００３】  建屋の間仕切り変更において、経年変化に伴い生じた天井面と床面との夫々の寸法バラツキへの対応をゴムに頼ることなく、可及的広範囲に対応できることとする。
【課題を解決するための手段】
【０００４】  本考案は、天井面及び床面に夫々固定された上側下地材及び下側下地材と、該上側下地材及び下側下地材に夫々対峙すると共に、その回転に伴って上下進退して圧接するアジャスター用ネジ杆と、該アジャスター用ネジ杆を有する上下枠材及び左右枠材にて構成された四角型下地枠体と、更に該四角型下地枠体の左右面に対面して連結張り合わせされる間仕切用面材とで成したことを特徴とするものである。【０００５】  更に本考案は、上側下地材及び下側下地材と四角型下地枠体の上下枠材との間には、勾配面を有する上下間座材を介在させて、該上下間座材が勾配に沿って互いに左右方向にスライドして、上側下地材及び下側下地材と四角型下地枠体の上下枠材との間隙を調整する様にしたことを特徴としたものである。【０００６】  更に本考案は、左右の間仕切用面材には、内面に複数の係止用受金具を取付け、四角型下地枠体の左右枠材には、前記夫々の係止用受金具に対応する係止用差込金具を取付けて前記左右の間仕切用面材を四角型下地枠体に張り合せた際、夫々の係止用差込金具と係止用受金具とが係合連結したことを特徴としたものである。【０００７】  又本考案は、一方間仕切用面材の係止用受金具と他方間仕切用面材の係止用差込金具とを一組として、左右の間仕切用面材の上下に複数個装備させたことを特徴としてものである。
【考案の効果】
【０００８】（１）請求項１により、四角型下地枠体上下方向のギャップは、アジャスター用ネジ杆を回転させると共に、上下に進退させて天井面と上側下地材との間隔ギャップ及び床面と下側下地材との夫々の間隔ギャップを適性位置に調整できる。
更に四角型下地枠体の長手方向に対しても、上下枠材に夫々位置した複数本のアジャスターネジ杆の回転操作によって傾き調整できる。【０００９】（２）請求項２により、更にアジャスター用ネジ杆を回転させることによって、上下間座材がその勾配面にて相互に左右方向にスライドして、上側下地材及び下側下地材と四角型下地枠体の上下枠材との間隙をより適正に調整することができる。【００１０】（３）請求項３により、左右間仕切用面材の表面に釘等の頭が露呈しないので、現場にて更なるクロス貼り等の表面仕上げ作業も要せず、且つ仕上がり程度も高感度となる。【００１１】（４）請求項４により、天井面と床面間の高さ空間において間仕切用面材が反ることもなく建屋内を適正に区分けできる。
【図面の簡単な説明】
【００１２】
【図１】建屋の間仕切を示す平面図
【図２】同上の間仕切用面材を張り合せた完成断面図
【図３】同上の完成前における下地材を固定した工程断面図
【図４】同上の一方間仕切用面材を張り合わせた工程断面図
【図５】同上の四角型下地枠体の分解拡大斜視図
【図６】同上の部分拡大断面図
【図７】間仕切用面材の結合部分を示す斜視図
【図８】同上の部分断面図
【図９】異なる実施例を示す結合部分の斜視図
【図１０】同上の部分断面図
【考案を実施するための形態】
【００１３】  以下本考案を実施形態の図面に基づいて説明すると、図１は建屋の間仕切を示す平面図であって、建屋本体Ｈは間仕切用面材１を所望数相互に交差、或いは平行連結結合して建屋本体Ｈ内を適宜に区分Ｈａする。
而して、図２は間仕切用面材１を張り合わせて完成した断面図であって、図３の完成前における下地材を固定した工程断面図に示す如く、天井面Ｃ及び床面Ｆに上側下地材２及び下側下地材３を夫々釘４にて固定している。
【００１４】  続いて、図４の工程断面図に示す如く、上側下地材２及び下側下地材３にはアジャスター用ネジ杆５が夫々対峙して位置しており、回転に伴って上下に進退して上端の座部５ａが圧接する。このアジャスター用ネジ杆５の下端にはドライバー操作用溝５ｂを有する。
このアジャスター用ネジ杆５は、上下枠材７、８と左右枠材９、１０にて構成された四角型下地枠体６の該上下枠材７、８に直立して装備される。
具体的には、上下枠材７、８が木材であることから、インサートナット１１に螺合して直立させている。
【００１５】  更に四角型下地枠体６の上下枠材７、８と上下側下地材２、３との間には勾配面１２ａ、１３ａを有する上下一組の間座材１２、１３を介在させており、作業過程において、上下枠材７、８と上下側下地材２、３との間が所定間隔になった状態に至らせるまで、勾配面１２ａ、１３ａをスライドさせた後、釘１４にて固定し、上下側下地材２、３が撓むことからのガタ付きによるきしみ音の発生を防ぐこととしている。
特にこの間座材１２、１３は、アジャスター用ネジ杆５を四角型下地枠体６の両側に位置させていることから、アジャスター用ネジ杆５の位置から離れた位置、即ち上下枠材７、８の中程が撓むことのない様、適宜に数箇所装備することとなる。
【００１６】  この状態にて四角型下地枠体６の両面には間仕切用面材１が張り付けられると共に、相互に連結され、建屋本体Ｈ内を適宜間仕切り区分Ｈａする。
具体的には、図５、６、７に示す如く、四角型下地枠体６の左右枠材９、１０の内面９ａ、１０ａに係止差込金具１６を取付け、左右の間仕切用面材１の内面１ａには直立した複数の係止用受金具１５を取付け、更に四角型下地枠体６の左右枠材９、１０には係止用差込金具１６を取付けて、間仕切用面材１を四角型下地枠体６に張り合せた際、夫々の係止用差込金具１６と係止用受金具１５とが係合して連結する。
【００１７】  図８、９は異なる実施例であって、係止用受金具１５は同形状とし、係止用差込金具１６を型材としている。
而して、係止用受金具１５は、一方間仕切用面材１の内面１ａに固定される座片１５ａと係止孔１５ｃを有する直立片１５ｂとで成し、係止用差込金具１６は、図６、７に示す如く、コ字型に形成され、内面１ａに固定される座片１６ａと係止爪１６ｃを有すると共に、端面１ｂに平行する平行片１６ｂとで成している。
【００１８】  更に図５に示す如く、施工区分Ｈａの間仕切面、即ち壁面が広い場合の対応として、、四角型下地枠体６の左右枠材９、１０の側面９ｂ、１０ｂを夫々段差形状にして互いに嵌合させ、壁面全体が面一状態に仕上げている。
【００１９】  次に本考案建屋の間仕切装置の施工順序・施工方法を説明すると、先ず図１に示す如く、建屋本体Ｈ内の所望の施工区分Ｈａの天井面Ｃ及び床面Ｆに夫々上側下地材２及び下側下地材３を釘４にて固定する。
続いて、図４に示す如く、四角型下地枠体６を上側下地材２と下側下地材３との間に位置させる。
この状態にてアジャスター用ネジ杆５をドライバーの回転操作によって上下に進退させ、夫々の上端の座部５ａを上側下地材２及び下側下地材３に圧接させる。
【００２０】  更に四角型下地枠体６の上下枠材７、８と上下側下地材２、３との間に適宜数の間座材１２、１３を介在させ、その状態応じて勾配面１２ａ、１３ａを適宜スライドさせ、上下枠材７、８と上下側下地材２、３との間を所定間隔であることを確認の上、釘１４にて固定する。
上記状態に続いて、図４に示す如く、先ず左右何れか一方の間仕切用面材１を四角型下地枠体６の一方面から上下枠材７、８と左右枠材９、１０に副わせると共に、間仕切用面材１の係止用差込金具１６を係止用受金具１５に差込み係合連結する。
【００２１】  続いて、反対面の間仕切用面材１も同様にして係止用差込金具１６を係止用受金具１５に差込み係合連結し、四角型下地枠体６の両面には所定の間仕切用面材１が張付け、建屋内を順次施工作業することとなる。
【００２２】  本考案は、予め建屋の改装について、事前に改装箇所を現場にて寸法取りに基づく図面を作成し、これに基づき工場にて部材を作り上げると共に、組立て仕上がりを確認し、その後現場に搬送して再度組立てるシステムとして最適であり、現場にて、各部材を切断加工するものに比し、高精度の機械器具を備えた工場加工が品質的に優位となる。
【産業上の利用可能性】
【００２３】  本考案は既設建屋の改装を一例として詳述したが、建屋の新築についても利用可能であり、特に限定されるものではない。
【符号の説明】
【００２４】Ｈ    建屋本体
Ｃ    天井面
Ｆ    床面
１    間仕切用面材
２    上側下地材
３    下側下地材
４    釘
５    アジャスター用ネジ杆
６    四角型下地枠体
７    上枠材
８    下枠材
９    左枠材
１０  右枠材
１２  間座材
１３  間座材
１４  釘
１５  係止用受金
１６  係止用差込金
【図１】
0003171917.tif 000003
【図２】
0003171917.tif 000004
【図３】
0003171917.tif 000005
【図４】
0003171917.tif 000006
【図５】
0003171917.tif 000007
【図６】
0003171917.tif 000008
【図７】
0003171917.tif 000009
【図８】
0003171917.tif 000010
【図９】
0003171917.tif 000011
【図１０】
0003171917.tif 000012